【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】画像認識方法、画像認識装置及びコンピュータプログラム
【手続補正２】
【補正対象書類名】明細書
【補正対象項目名】特許請求の範囲
【補正方法】変更
【補正の内容】
【特許請求の範囲】
【請求項１】
２次元空間周波数領域へ直交変換を用いて複数画素単位で交流成分を含んで圧縮された圧縮データを非圧縮データへと復元する画像認識方法であって、
上記データを圧縮する時の単位である複数の部分画素領域について、交流周波数成分を含むデータ及び量子化テーブルを抽出する抽出工程と、
上記抽出工程によって抽出された量子化テーブルが適応範囲に対応する時に、抽出された部分領域の交流周波数成分の特徴量が、注目画像特徴量の所定範囲内に収まっているか否かを判断し、その判断結果に基づいて上記部分領域が注目画像対象部分に入っているか否かを判定する判定工程とを有することを特徴とする画像認識方法。
【請求項２】
２次元空間周波数領域へ直交変換を用いて複数画素単位で交流成分を含んで圧縮された圧縮データを非圧縮データへと復元する画像認識方法であって、
上記データを圧縮する時の単位である複数の部分画素領域について、交流周波数成分を含むデータ及び量子化テーブルを抽出する抽出工程と、
上記抽出工程で抽出された量子化テーブルが適応範囲に対応する時には、抽出された部分領域の交流周波数成分の各値と色度の特徴量が、注目画像特徴量の所定範囲内に収まっているか否かを判断し、その判断結果に基づいて上記部分領域が注目画像対象部分に入っているか否かを判定する判定工程とを有することを特徴とする画像認識方法。
【請求項３】
２次元空間周波数領域へ直交変換を用いて複数画素単位で交流成分を含んで圧縮された圧縮データを非圧縮データへと復元する画像認識方法であって、
上記データを圧縮する時の単位である複数の部分画素領域について、交流周波数成分を含むデータ及び量子化テーブルを抽出する抽出工程と、
上記抽出工程で抽出された量子化テーブルが適応範囲に対応する時には、抽出された交流周波数成分の特徴量により画像領域を複数に分割する分割工程と、
上記分割工程によって分割された各画像領域の範囲における色度の特徴量が、注目画像特徴量の所定範囲内に収まっているか否かを判断し、その判断結果に基づいて部分領域が注目画像対象部分に入っているか否かを判定する判定工程とを有することを特徴とする画像認識方法。
【請求項４】
上記抽出された部分領域の周波数成分の特徴量特性を上記量子化テーブルの特性により変更してから、注目画像特徴量の所定範囲内に収まっているか否かを判断し、その判断結果に基づいて、判定対象の部分領域が注目画像対象部分に入っているか否かを判定するようにしたことを特徴とする請求項１〜３の何れか１項に記載の画像認識方法。
【請求項５】
上記圧縮画像データはJpegファイルデータであることを特徴とする請求項１〜４の何れか１項に記載の画像認識方法。
【請求項６】
上記判定対象の部分領域が注目画像対象部分に入っている否かの判定は、画像全体における抽出された部分領域の配置情報を加えて行うことを特徴とする請求項１〜５の何れか１項に記載の画像認識方法。
【請求項７】
上記判定対象の部分領域が注目画像対象部分に入っている否かの判定は、抽出された部分領域の隣接した連続性情報を縦と横方向に加えて行うことを特徴とする請求項１〜５の何れか１項に記載の画像認識方法。
【請求項８】
上記判定対象の部分領域が注目画像対象部分に入っている否かの判定は、抽出された部分領域の直流成分を加えて行うことを特徴とする請求項１〜７の何れか１項に記載の画像認識方法。
【請求項９】
上記注目画像の候補が所定の設定範囲の中で複数個検出された場合には、検出された部分領域の隣接した連続が一番多いものを注目画像に該当すると判定することを特徴とする請求項６〜８の何れか１項に記載の画像認識方法。
【請求項１０】
上記検出した部分領域の隣接した連続が一番多いものを含む部分領域に連続で隣接している部分領域において、色度が適正範囲に入っているものを含めて注目画像とするようにしたことを特徴とする請求項９に記載の画像認識方法。
【請求項１１】
上記検出した注目画像領域内において、部分領域連続が２番目以降に長いものの含有率で上記検出した注目画像の検出の確からしさを求めるようにしたことを特徴とする請求項１０に記載の画像認識方法。
【請求項１２】
上記検出した確からしさを用いて画像補正強度を決定するようにしたことを特徴とする請求項１１に記載の画像認識方法。
【請求項１３】
上記検出した注目画像領域内の輝度情報を作成し、上記輝度情報を元にして画像全体への露出補正を行うようにしたことを特徴とする請求項１１または１２に記載の画像認識方法。
【請求項１４】
上記注目画像の検出長と出力プリントサイズとの関係により、注目画像サイズが出力プリントサイズ上一定の長さの許容に入らない場合は画像補正を行わないことを特徴とする請求項１〜１３の何れか１項に記載の画像認識方法。
【請求項１５】
２次元空間周波数領域へ直交変換を用いて複数画素単位で交流成分を含んで圧縮された圧縮データを非圧縮データへと復元する画像認識装置であって、
上記データを圧縮する時の単位である複数の部分画素領域について、交流周波数成分を含むデータ及び量子化テーブルを抽出する抽出手段と、
上記抽出手段によって抽出された量子化テーブルが適応範囲に対応する時に、抽出された部分領域の交流周波数成分の特徴量が、注目画像特徴量の所定範囲内に収まっているか否かを判断し、その判断結果に基づいて上記部分領域が注目画像対象部分に入っているか否かを判定する判定手段とを有することを特徴とする画像認識装置。
【請求項１６】
２次元空間周波数領域へ直交変換を用いて複数画素単位で交流成分を含んで圧縮された圧縮データを非圧縮データへと復元する画像認識装置であって、
上記データを圧縮する時の単位である複数の部分画素領域について、交流周波数成分を含むデータ及び量子化テーブルを抽出する抽出手段と、
上記抽出手段で抽出された量子化テーブルが適応範囲に対応する時には、抽出された部分領域の交流周波数成分の各値と色度の特徴量が、注目画像特徴量の所定範囲内に収まっているか否かを判断し、その判断結果に基づいて上記部分領域が注目画像対象部分に入っているか否かを判定する判定手段とを有することを特徴とする画像認識装置。
【請求項１７】
２次元空間周波数領域へ直交変換を用いて複数画素単位で交流成分を含んで圧縮された圧縮データを非圧縮データへと復元する画像認識装置であって、
上記データを圧縮する時の単位である複数の部分画素領域について、交流周波数成分を含むデータ及び量子化テーブルを抽出する抽出手段と、
上記抽出手段で抽出された量子化テーブルが適応範囲に対応する時には、抽出された交流周波数成分の特徴量により画像領域を複数に分割する分割手段と、
上記分割手段によって分割された各画像領域の範囲における色度の特徴量が、注目画像特徴量の所定範囲内に収まっているか否かを判断し、その判断結果に基づいて部分領域が注目画像対象部分に入っているか否かを判定する判定手段とを有することを特徴とする画像認識装置。
【請求項１８】
２次元空間周波数領域へ直交変換を用いて複数画素単位で交流成分を含んで圧縮された圧縮データを非圧縮データへと復元する画像認識方法を実行可能なコンピュータプログラムであって、
上記データを圧縮する時の単位である複数の部分画素領域について、交流周波数成分を含むデータ及び量子化テーブルを抽出する抽出工程と、
上記抽出工程によって抽出された量子化テーブルが適応範囲に対応する時に、抽出された部分領域の交流周波数成分の特徴量が、注目画像特徴量の所定範囲内に収まっているか否かを判断し、その判断結果に基づいて上記部分領域が注目画像対象部分に入っているか否かを判定する判定工程とをコンピュータに実行させることを特徴とするコンピュータプログラム。
【請求項１９】
２次元空間周波数領域へ直交変換を用いて複数画素単位で交流成分を含んで圧縮された圧縮データを非圧縮データへと復元する画像認識方法を実行可能なコンピュータプログラムであって、
上記データを圧縮する時の単位である複数の部分画素領域について、交流周波数成分を含むデータ及び量子化テーブルを抽出する抽出工程と、
上記抽出工程で抽出された量子化テーブルが適応範囲に対応する時には、抽出された部分領域の交流周波数成分の各値と色度の特徴量が、注目画像特徴量の所定範囲内に収まっているか否かを判断し、その判断結果に基づいて上記部分領域が注目画像対象部分に入っているか否かを判定する判定工程とをコンピュータに実行させることを特徴とするコンピュータプログラム。
【請求項２０】
２次元空間周波数領域へ直交変換を用いて複数画素単位で交流成分を含んで圧縮された圧縮データを非圧縮データへと復元する画像認識方法を実行可能なコンピュータプログラムであって、
上記データを圧縮する時の単位である複数の部分画素領域について、交流周波数成分を含むデータ及び量子化テーブルを抽出する抽出工程と、
上記抽出工程で抽出された量子化テーブルが適応範囲に対応する時には、抽出された交流周波数成分の特徴量により画像領域を複数に分割する分割工程と、
上記分割工程によって分割された各画像領域の範囲における色度の特徴量が、注目画像特徴量の所定範囲内に収まっているか否かを判断し、その判断結果に基づいて部分領域が注目画像対象部分に入っているか否かを判定する判定工程とをコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は画像認識方法、画像認識装置及びコンピュータプログラムに係わり、特に、圧縮された画像データ形式であるJpegファイル画像を認識するために用いて好適なものである。
【手続補正４】
【補正対象書類名】明細書
【補正対象項目名】００１７
【補正方法】削除
【補正の内容】